(57)【要約】移動局１が移動局２へパケット送信する際、移動局１はデフォルトルータリストのＭＡＧのプライマリフラグからＭＡＧ１を選択し、ＭＡＧ１をデフォルトルータとしてパケット送信し、ＭＡＧ１はパケットを受信し、位置情報管理表から宛先が帰属移動局でないことからＬＭＡを解決し、ＬＭＡへパケットを転送する。転送手段はパケットを送信元をＭＡＧ１とし、送信先をＬＭＡとしてカプセル化して転送する技術、ＧＲＥトンネリング等の転送技術、ＭＰＬＳを用いた転送を行う。ＬＭＡはパケットの宛先である移動局２から位置情報管理表を検索し、移動局２のプライマリフラグがＯＮであるＭＡＧ３を収得し、ＭＡＧ３へパケット転送を行う。これによりＥｄｇｅ  Ｍｏｂｉｌｉｔｙに準拠した移動局とアクセスゲートウェイと位置管理装置を備える移動通信システムにて、移動局は複数の通信網を介して複数の通信経路を確立し、最適経路を選択してパケットの配送を行える。
2009008464.tif 000002
【特許請求の範囲】
【請求項１】
Edge mobilityに準拠した移動ノードとアクセスゲートウェイと、前記移動ノードの複数のアクセスシステムを通してネットワークへ接続し、それぞれの接続点となる複数アクセスゲートウェイを、前記移動ノードの位置情報として保持し、前記移動ノードへ宛てたパケットの転送先とする位置管理装置と、を含んで構成されるパケット通信システムにおける移動ノードであって、
コアネットワークへ接続する複数のネットワークアクセスシステムによる送受信機を備え、それぞれの前記送受信機が接続するアクセスゲートウェイに対して位置登録を行う位置登録通知手段と、
それぞれの前記送受信機のアクセスシステムを通して接続するすべてのアクセスゲートウェイに対する経路情報を取得し該経路情報を記憶する記憶手段と、
前記経路情報に基づいてパケットを送信する送信手段と
を備えることを特徴とする移動ノード。
【請求項２】
さらに、接続する複数のアクセスゲートウェイから優先して使用するアクセスゲートウェイを選択する選択手段と、
選択したアクセスゲートウェイを通知する通知手段と、
選択したアクセスゲートウェイに対してパケットを送信するパケット送信手段と
を備えることを特徴とする請求項１に記載の移動ノード。
【請求項３】
前記選択手段は、位置管理装置に設けられる位置情報管理表に記載されるプライマリ情報に基づいて優先して使用するアクセスゲートウェイを選択することを特徴とする請求項２に記載の移動ノード。
【請求項４】
前記ネットワークアクセスシステムは、無線ＬＡＮと携帯電話とにおけるシステムであることを特徴とする請求項１から３までのいずれか１項に記載の移動ノード。
【請求項５】
Edge mobilityに準拠した移動ノードとアクセスゲートウェイと、前記移動ノードの複数のアクセスシステムを通してネットワークへ接続し、それぞれの接続点となる複数アクセスゲートウェイを、前記移動ノードの位置情報として保持し、前記移動ノードへ宛てたパケットの転送先とする位置管理装置と、を含んで構成されるパケット通信システムにおけるアクセスゲートウェイであって、
自己のアクセスゲートウェイに帰属する移動ノードの位置登録を前記位置管理装置に対して行なうとともに、帰属する移動ノードのアクセスゲートウェイ選択の通知を受信し、前記位置管理装置へ対して選択したアクセスゲートウェイを通知する手段を備えることを特徴とするアクセスゲートウェイ。
【請求項６】
移動ノードの複数のアクセスシステムを通してネットワークへ接続し、それぞれの接続点となる複数アクセスゲートウェイを、移動ノードの位置情報として保持し、前記移動ノードへ宛てたパケットの転送先とする位置管理装置。
【請求項７】
Edge mobilityに準拠した移動ノードとアクセスゲートウェイと、前記移動ノードの複数のアクセスシステムを通してネットワークへ接続し、それぞれの接続点となる複数アクセスゲートウェイを、前記移動ノードの位置情報として保持し、前記移動ノードへ宛てたパケットの転送先とする位置管理装置と、を含んで構成されるパケット通信システムにおける位置管理装置であって、
前記移動ノードに対して複数のアクセスゲートウェイを位置情報として取得し、該位置情報を登録する登録手段と、
前記移動ノードの選択するアクセスゲートウェイを取得し、選択情報を登録する登録手段と、
前記選択情報に基づいてアクセスゲートウェイを選択して移動ノードへパケットを送信するパケット送信手段と
を備えることを特徴とする位置管理装置。
【請求項８】
Edge mobilityに準拠した移動ノードとアクセスゲートウェイと、前記移動ノードの複数のアクセスシステムを通してネットワークへ接続し、それぞれの接続点となる複数アクセスゲートウェイを、前記移動ノードの位置情報として保持し、前記移動ノードへ宛てたパケットの転送先とする位置管理装置と、を含んで構成されるパケット通信システムであって、
複数のアクセスシステムへ接続する複数の送受信機を備え、それぞれのアクセスシステムを通してコアネットワークへ接続する移動ノードであって、それぞれのアクセスシステムを通して接続する前記アクセスゲートウェイに対して位置登録を行う位置登録通知手段と、それらすべてのアクセスゲートウェイに対する経路情報を取得し、前記経路情報を記憶する記憶手段と、前記経路情報に基づいてパケットを送信する送信手段とを備える移動ノードと、
前記移動ノードに対するアクセスゲートウェイであって、自己に帰属する移動ノードの位置登録を前記位置管理装置に対して行なうとともに、帰属する前記移動ノードのアクセスゲートウェイ選択の通知を受信し、前記位置管理装置へ対して選択したアクセスゲートウェイを通知する手段とを備えるアクセスゲートウェイと、
前記移動ノードに対して複数のアクセスゲートウェイを位置情報として取得し、該位置情報を登録する登録手段と、移動ノードの選択するアクセスゲートウェイを取得し、選択情報を登録する登録手段と、前記選択情報に基づいてアクセスゲートウェイを選択して移動ノードへパケットを送信するパケット送信手段と、を備える位置管理装置と
を有することを特徴とする通信システム。
【請求項９】
Edge mobilityに準拠した移動ノードとアクセスゲートウェイと、前記移動ノードの複数のアクセスシステムを通してネットワークへ接続し、それぞれの接続点となる複数アクセスゲートウェイを、前記移動ノードの位置情報として保持し、前記移動ノードへ宛てたパケットの転送先とする位置管理装置と、を含んで構成されるパケット通信システムにおける移動ノードの制御方法であって、
コアネットワークへ接続する複数のネットワークアクセスシステムによる送受信機が接続するアクセスゲートウェイに対して位置登録を行う位置登録通知ステップと、
それぞれの前記送受信機のアクセスシステムを通して接続するすべてのアクセスゲートウェイに対する経路情報を取得し該経路情報を記憶するステップと、
前記経路情報に基づいてパケットを送信するステップと
を備えることを特徴とする移動ノードの制御方法。
【請求項１０】
さらに、接続する複数のアクセスゲートウェイから優先して使用するアクセスゲートウェイを選択するステップと、
選択したアクセスゲートウェイを通知するステップと、
選択したアクセスゲートウェイに対してパケットを送信するパケット送信ステップと
を備えることを特徴とする請求項９に記載の移動ノードの制御方法。
【請求項１１】
請求項９又は１０に記載のステップを、コンピュータに実行させるためのプログラム。
【発明の詳細な説明】
【技術分野】
【０００１】
本発明は、Edge Mobilityに準拠したパケット通信システムにおける移動ノード、アクセスゲートウェイ、位置管理装置およびパケット通信システムに関する。
【背景技術】
【０００２】
インターネットにおいて、ノードが接続するリンクを移動に伴って次々と変更しても、通信相手のノードと通信を継続することができるIP層のモビリティを提供する技術としてEdge Mobilityがある(例えば、下記非特許文献1参照)。【０００３】
Edge Mobilityは、図１に示すように、移動ノード１・３の接続するネットワークをコアネットワーク５とし、コアネットワーク５内部に移動ノード１・３のデフォルトルータとなるアクセスゲートウェイ(MAG：Mobile Access Gateway)７・１１と、移動ノード１・３の帰属するMAG７・１１を管理する位置管理装置(LMA: Local Mobility Anchor)１５を定義している。【０００４】
LMA１５は、移動ノード１・３の接続するMAG７・１１を移動ノード１・３の位置情報として、移動ノードの識別情報とMAGの識別情報との対応関係を管理する（１５ａ）。LMA１５では、移動ノード１・３の移動に伴い、接続するMAG７・１１を更新し続けることで位置情報を維持する。【０００５】
移動ノード１・３は、自身を識別する一意なIPアドレスを保持し、移動ノード１・３間の送受信パケットの送信先および送信元に指定してコアネットワーク５へ送信する。コアネットワーク５の移動ノード１・３との接続部となるMAG７・１１は、パケットをLMA１５へ転送する。LMA１５は、位置情報１５ａから送信先の移動ノード（例えば移動ノード３）が帰属するMAG（例えばMAG１１）を取得し、転送する。【０００６】
したがって、コアネットワーク５の内部では、MAGとLMAによりパケットの転送により移動ノード１・３間のパケットが配送される。【０００７】
パケット配送の具体例について図１、図２を参照しながら説明する。【０００８】
例えば、移動ノード（1）１は、移動ノード（2）３宛のパケットを送信する(図２(ａ))。パケットの送信元は移動ノード（1）１のIPアドレスであり、送信先のアドレスは移動ノード（2）のIPアドレスである。【０００９】
送信されたパケットは、移動ノード（1）１のデフォルトルータであるMAG（1）７が受信する。MAG（1）７は、コアネットワーク５内のLMA１５へパケットを転送する。転送手段には、MAGとLMAとによるパケットのカプセル化による転送(図2(b)参照)や、GREトンネリング(非特許文献2参照)によるトンネリングや、MPLS(非特許文献3参照)によるラベルスイッチングなどで実現することができる。【００１０】
LMA１５では、転送されたパケットの宛先である移動ノード（2）３の位置情報からMAG（2）１１を取得し、MAG（２）１１へ転送する(図２(ｃ))。【００１１】
MAG（2）１１では、転送されたパケットの宛先である移動ノード（2）３が帰属移動ノードであることにより、移動ノード（2）へパケットを配送する(図２(ｄ))。このように、移動ノード（1）１から移動ノード（2）３へのパケットは、コアネットワーク５の内部では、MAGとLMAの管理する位置情報に基づいた転送により配送される。移動ノード（2）３から移動ノード（1）１へのパケットは、送信元と送信先のＩＰヘッダを変更しながら上記の順と逆をたどって届けられる(図2(e)〜 (h))。【００１２】
Edge Mobilityでは、上記の方法により、移動ノードは移動に伴い、デフォルトルータであるMAGを変更することのみで通信を継続する。コアネットワーク内部ではLMAとMAGにおいて位置情報を更新しパケット転送を行うことで、移動ノード間の通信を実現する。これにより、Edge Mobilityでは、移動ノードが行う移動処理を最低限にし、無線区間の制御信号数の削減が実現できる利点をもつ。
【非特許文献１】H. Levkowetz, Ed, et al., “draft-giaretta-netlmm-dt-protocol-01” NetLMM WG Internet-Draft September 18, 2006
【非特許文献２】Farinacci, D. et al., “Generic Routing Encapsulation(GRE)”, RFC 2784, March 2000.
【非特許文献３】Rosen, E., el al., “Multiprotocol Label Switching Architecture”, RFC 3031, January 2001.
【非特許文献４】3GPP TS 23.003V5.2.0, “Numbering, addressing and identification(Release 6), “ March, 2004.
【発明の開示】
【発明が解決しようとする課題】
【００１３】
しかしながら、上記の背景技術においては以下のような問題がある。【００１４】
Edge Mobilityでは、移動ノードは、システム内で移動ノードをユニークに識別する識別子で識別される。識別しには、電話番号や加入者情報など移動ノードを個別に識別する事業者の割り当てるＩＤを用いることが可能である。さらに、前記識別子には、IPアドレスも用いることができる。LMAでは、前記の移動ノードの識別情報に対して、移動ノードが接続するMAGを位置情報として管理する。移動ノードの移動に伴い接続するMAGが変更された場合には、LMAにおいて対応情報を更新する。従来では、LMAは、移動ノードに対して単一のMAGを位置情報として管理する（移動ノード１とＭＡＧ１、移動ノード２とＭＡＧ２）ため、移動ノードが複数の無線アクセスシステムに同時に接続し、接続する複数のMAGをLMAへ位置情報として登録することができないという問題がある。【００１５】
移動ノードが複数の無線アクセスシステムへ接続する例は、例えば携帯電話のような移動通信端末が、セルラ網へ接続する無線アクセスシステムと無線LANへ接続する無線アクセスシステムへ接続するための送受信装置を備えるような場合であり、移動通信端末が単一のIPアドレスでそれぞれの無線アクセスシステムを経由して通信相手との通信路を複数保持する例である。【００１６】
具体的には、図３に示すように、移動ノード３１・３３は複数の送受信機３１ａ、３１ｂ・３３ａ、３３ｂを備え、それぞれがコアネットワーク５の異なるＭＡＧ７・１１・１７・２１に帰属する。送受信機３１ａ、３１ｂは、それぞれ異なる無線アクセスシステムにより接続される。同様に、３３a、３３ｂも、それぞれ異なる無線アクセスシステムにより接続される。例えば、送受信機の一方をセルラネットワークなどの携帯電話で用いられる無線アクセスシステムにより接続し、他方は無線ＬＡＮのような無線アクセスシステムにより接続する。つまり、移動ノード３１・３３は、セルラネットワークと無線ＬＡＮとの２つの無線アクセスシステムを用いて同時接続する。それぞれのアクセスシステムにより接続するＭＡＧを図３のようにＭＡＧ（１）７とＭＡＧ（２）１１のように設けることで、ＭＡＧは単一のアクセスシステムにより移動ノード３１の接続を許容することができる。図３に示すように、移動ノード（１）３１を、複数の送受信機３１ａ・３１ｂで同時にコアネットワーク５へ接続することができれば、セルラネットワークのアクセスシステムと無線ＬＡＮのアクセスシステムの双方を備えた移動ノード３１は、その双方を同時に利用することができ、無線リンクの状態やアプリケーションの特性などの要素によりいずれか一方を選ぶだけで使い分けることができる。例えば、無線ＬＡＮの伝送能力が高く、移動ノードが大量のデータ送受信を必要とするようなアプリケーションの通信を必要とした場合には、無線ＬＡＮのアクセスシステムにより通信を行う。また、大量のデータ伝送を必要とせず、高速に移動するような状況となった場合には、セルラシステムによる通信を行うなどができる。【００１７】
しかしながら、図３に示すように、移動ノード（１）３１が複数の無線アクセスシステムに接続する送受信機３１ａ・３１ｂを備え、それぞれの送受信機３１ａ・３１ｂを介してコアネットワーク５へ接続した場合、接続点であるＭＡＧ（１）７とＭＡＧ（２）１１とを位置情報としてＬＭＡ１５は位置管理を行うことはできない。さらに、上記問題を解決したとしても、移動ノード３１において、ＭＡＧ（１）７を経由した経路とＭＡＧ（２）１１を経由した経路を選択するための手段がない。同様に、ＬＭＡ１５においても、移動ノード（1）３１へのパケット転送において、ＭＡＧ（１）７を経由した経路とＭＡＧ（２）１１を経由した経路とのうち、いずれかを選択する手段がないという問題がある。【００１８】
本発明においては、Edge Mobilityに基づくネットワークにおいて、複数のアクセスネットワークへ接続することができる複数の送受信機を備えた移動ノードは、それぞれのアクセスシステムを通して複数の通信路を確立し、単一のIPアドレスを用いて通信を行う手段を提供することを目的とする。【００１９】
また、移動ノードは、単一のIPアドレスを用いた通信を行う間に、無線アクセスシステムを切り替えて通信を継続することができるハンドオーバを実現する移動ノード、アクセスゲートウェイ、位置管理装置およびパケット通信システムを提供することを目的とする。
【課題を解決するための手段】
【００２０】
上記の課題は以下のような手段によって解決することができる。【００２１】
(移動ノード)
本発明による移動ノードは、移動ノードとアクセスゲートウェイ(MAG: Mobile Access Gateway)と位置管理装置(LMA: Local Mobility Anchor)とを含んで構成されるパケット通信システムのおける移動ノードであって、コアネットワークへ接続する複数のネットワークアクセスシステムによる送受信機を備え、それぞれの送受信機が接続するMAGに対して位置登録を行う位置登録通知手段と、それぞれの送受信機のアクセスシステムを通して接続するすべてのMAGに対する経路情報を取得し、前記経路情報を記憶する記憶手段と、前記経路情報に基づいてパケットを送信する送信手段とを備える。さらに、接続する複数のMAGから優先して使用するMAGを選択する選択手段と、選択したMAGを通知する通知手段と、選択したMAGに対してパケットを送信するパケット送信手段と、を備える。【００２２】
上記構成により、移動ノードは、複数の無線アクセスシステムを通してコアネットワークに接続し、それぞれのアクセスシステムを介して異なるMAGによりコアネットワークに接続することができ、複数の通信路を確立することが出来る。さらに、移動ノードは、優先して使用するMAGを選択し、MAGへ通知することで、無線アクセスシステムを切り替えて通信相手となるノードと通信継続するハンドオーバと、を行うことができる。【００２３】
(アクセスゲートウェイ：MAG)
また、本発明によるMAGは、Edge Mobilityに準拠したパケット通信システムにおける移動ノードに対するアクセスゲートウェイであり、自己のMAGに帰属する移動ノードの位置登録をLMAに対して行ない、移動ノードに対してMAGとLMA間で転送路を確立するとともに、移動ノードが優先して使用するMAGを選択した旨を表す通知を受信し、LMAへ自MAGが選択されたことを通知する手段を備える。【００２４】
このように構成することにより、移動ノードの位置情報として複数のMAGをLMAへ通知することができる。さらに、移動ノードが選択するMAGをLMAへ通知することができる。【００２５】
(位置管理装置：LMA)
移動ノードの複数のアクセスシステムを通してネットワークへ接続し、それぞれの接続点となる複数アクセスゲートウェイを、移動ノードの位置情報として保持し、前記移動ノードへ宛てたパケットの転送先とする。【００２６】
また、本発明によるLMAは、Edge Mobilityに準拠したパケット通信システム上に存在する位置管理装置であり、移動ノードに対して複数のMAGを位置情報として取得し、位置情報を登録する登録手段と、移動ノードが優先して使用するMAGの情報取得し、前期MAGを登録する登録手段と、前記情報に基づいてMAGを選択して移動ノードへパケットを送信するパケット送信手段と、を備える。【００２７】
このように構成することにより、LMAは、移動ノードに対して複数のMAGを介した複数の通信路を確立することができる。さらに、移動ノードの選択したMAGを経由して優先してパケット配送を配送することができる。【００２８】
(通信システム)
また、本発明によるパケット通信システムは、Edge Mobilityに準拠した移動ノードとMAGとLMAとを備えた通信システムであり、移動ノードは、複数のアクセスシステムへ接続する複数の送受信機を備え、それぞれのアクセスシステムを通してコアネットワークへ接続する。さらに、移動ノードは、それぞれのアクセスシステムを通して接続するMAGに対して位置登録を行う位置登録通知手段と、それらすべてのMAGに対する経路情報を取得し、前記経路情報を記憶する記憶手段と、前記経路情報に基づいてパケットを送信する送信手段と、を備え、MAGは、移動ノードに対するアクセスゲートウェイであり、自MAGに帰属する移動ノードの位置登録をLMAに対して行なうとともに、帰属する移動ノードのMAG選択の通知を受信し、LMAへ対して選択したMAGを通知する手段を備え、LMAは、位置管理装置であり、移動ノードに対して複数のMAGを位置情報として取得し、位置情報を登録する登録手段と、移動ノードの選択するMAGを取得し、選択情報を登録する登録手段と、前記選択情報に基づいてMAGを選択して移動ノードへパケットを送信するパケット送信手段と、を備える。【００２９】
このように構成することにより、移動ノードでは、複数のアクセスシステムを経由してコアネットワーク接続を行うことができ、通信データの送受信において優先的に使用するアクセスシステムを決定することができる。また、コアネットワーク内のLMAにおいては、移動ノードに対して複数の送信経路をもつことができるとともに、移動ノードが望む優先経路を選択してパケットを配送することができる。【００３０】
また、移動ノードとLMAにおいて、優先する経路を切り替えることで、移動ノードにおいてアクセスシステムを切り替えたハンドオーバを実現することができる。【００３１】
（通信方法等）
本発明の他の観点によれば、Edge mobilityに準拠した移動ノードとアクセスゲートウェイと位置管理装置とを含んで構成されるパケット通信システムのおける移動ノードの制御方法であって、コアネットワークへ接続する複数のネットワークアクセスシステムによる送受信機が接続するアクセスゲートウェイに対して位置登録を行う位置登録通知ステップと、それぞれの前記送受信機のアクセスシステムを通して接続するすべてのアクセスゲートウェイに対する経路情報を取得し該経路情報を記憶するステップと、前記経路情報に基づいてパケットを送信するステップと、を備えることを特徴とする移動ノードの制御方法が提供される。【００３２】
さらに、接続する複数のアクセスゲートウェイから優先して使用するアクセスゲートウェイを選択するステップと、選択したアクセスゲートウェイを通知するステップと、選択したアクセスゲートウェイに対してパケットを送信するパケット送信ステップと、を備えることが好ましい。上記ステップを、コンピュータに実行させるためのプログラム、プログラムを記録する記録媒体であっても良く、プログラムを取得する方法は伝送媒体であっても良い。
【発明の効果】
【００３３】
本発明によれば、Edge Mobilityに準拠した移動ノードは、複数のアクセスシステムを通してコアネットワークへ接続し、複数の通信路を確立する。さらに、単一のIPアドレスを用いて複数の通信路を介して同時に通信を行うことができる。さらに、移動ノードは単一のIPアドレスによってアクセスシステムを切り替えて通信を継続するハンドオーバを行うことができる。【００３４】
これにより、通信事業者などが運用する大規模なネットワークをEdge Mobilityに準拠したネットワークで構築した場合、通信事業者は複数の無線アクセスシステムで移動ノードの接続を許容することができる。【００３５】
移動ノードは、その通信事業者網への接続に、セルラネットワークの無線アクセスシステムとWLANなどアクセスシステムにより同時に接続することができる。さらに、移動ノードは、双方のアクセスシステムを介して単一のIPアドレスで通信することができる。これにより、例えば通信事業者は、アプリケーションやプリファレンスにしたがって、セルラネットワークのアクセスシステムを介して通信させたり、WLANなどのアクセス網を介して通信させたりするなどの制御が可能になる。【００３６】
また、従来のハンドオーバ手続きは、一方の接続から他方の接続に切り替えて行っていたのに対して、本発明では、移動ノードは同時接続が実現できることにより、接続手続きを完了してから、通信データの通信路の選択のみでシームレスにハンドオーバすることができる。
【図面の簡単な説明】
【００３７】
【図１】Edge Mobilityパケット通信システムの一構成例を示す機能ブロック図である。
【図２】図１に示すシステムにおけるパケット配送の具体例を示す図である。
【図３】本発明の一実施の形態によるパケット通信システムの一構成例を示す機能ブロック図である。
【図４】移動ノードの一構成例を示す機能ブロック図である。
【図５】アクセスゲートウェイ(MAG)の一構成例を示す機能ブロック図である。
【図６】位置管理装置(LMA)の一構成例を示す機能ブロック図である。
【図７】移動ノードの処理の流れを示すフローチャート図である。
【図８】アクセスゲートウェイ(MAG)の処理の流れを示すフローチャート図である。
【図９】位置管理装置(LMA)の処理の流れを示すフローチャート図である。
【図１０】パケットフォーマットの構成例を示す図である。
【図１１】情報の流れを示すシーケンス図である。
【図１２】移動ノード間の通信フローを示すシーケンス図である。
【符号の説明】
【００３８】
５…コアネットワーク、７、１１、１７、２１…ＭＡＧ、１５…ＬＭＡ、３１、３３…移動ノード、３１ａ・３１ｂ、３３ａ・３３ｂ…送受信装置。
【発明を実施するための最良の形態】
【００３９】
以下に、本発明の一観点によるパケット通信システムについて図面を参照しながら説明する。本実施の形態による通信技術は、Edge Mobilityに準拠し、図３に示すように、移動ノードが複数のネットワーク接続点をもってコアネットワークに接続し、コアネットワーク内部には移動ノードのデフォルトルータとなるアクセスゲートウェイ(MAG: Mobile Access Gateway)を複数配置するとともに位置管理装置(LMA: Local Mobility Anchor)を配置する。【００４０】
(移動ノード構成)
最初に、本実施の形態による移動ノードについて説明する。移動ノード(MN)３１・３３は、図４に示すように２つ以上のアンテナ（ここでは、２つのアンテナ４１・４３）を備える送受信機（１）４５・（２）４７と、記憶装置５１と、を備え、送受信機（１）４５・（２）４７と記憶装置５１に接続された位置情報通知部５３、MAG選択部５５、経路情報登録部５７、パケット送信部６１を備えている。【００４１】
送受信機（１）４５・（２）４７は、無線通信を行なうアンテナ４１・４３を備え、パケット送受信を行なう。無線通信システムは、無線LANによる無線通信、もしくは、セルラネットワークによる無線通信、もしくは、Bluetooth等の近距離無線通信システムにより移動ノード３１・３３と無線接続する。【００４２】
記憶装置５１は、デフォルトルータとなるMAG情報を管理するデフォルトルータリストを記憶する。経路情報には複数のMAG情報をもち、移動ノードにより通信に用いるMAGの選択情報を併せて記憶する。【００４３】
位置情報通知部５３は、接続するMAGの変更を検知し、自移動ノードを識別する識別情報をコアネットワークへ通知する。【００４４】
経路情報登録部５７は、デフォルトルータとなるMAG情報を取得し、記憶装置５１に記憶されたデフォルトルータリストに登録する。【００４５】
MAG選択部５５は、記憶装置５１に記憶されたデフォルトルータリストに登録された複数のMAGのうち、通信に使用するMAGを選択し、コアネットワークへ通知するとともに記憶部に登録する。【００４６】
パケット送信部６１は、記憶装置５１のデフォルトルータリストをもとに、MAGへパケットを送信する。【００４７】
(アクセスゲートウェイ：MAG構成)
次に、本実施の形態によるMAGについて説明する。MAGは、図５に示すように、アンテナ７１・７３を備える無線送受信機７５とコアネットワークと接続するコアネットワーク送受信機７７と記憶装置８１とを備え、各送受信機７５・７７と記憶装置８１と接続する帰属移動ノード登録部８３と位置情報通知部８５とデフォルトルート通知部８７とパケット送信部８９とを備える。【００４８】
無線送受信機７５は、無線通信を行なうアンテナ７１を備えパケットの送受信を行なう。無線通信システムは無線LANによる無線通信もしくは、セルラネットワークによる無線通信もしくは、Bluetooth等の近距離無線通信システムにより移動ノードと無線接続する。【００４９】
コアネットワーク送受信機７７は、コアネットワーク内部に接続し、パケットの送受信を行なう。接続にはインターネットのルータ間で用いられるEthernet（登録商標）などのL2技術を用いて有線接続する。【００５０】
帰属移動ノード登録部８３は、自MAGへ帰属する移動ノードを記憶部の位置情報管理表に登録する。さらに、移動ノードが通知するMAG選択情報も併せて記憶部に登録する。【００５１】
デフォルトルート通知部８７は、自MAGへ帰属する移動ノードに対して自MAGの情報を通知する。通知情報は移動ノードが自MAGをデフォルトルータとするための経路情報である。【００５２】
位置情報通知部８５は帰属移動ノードの識別情報と位置情報として自MAG情報をLMAへ通知する。さらに、移動ノードが通知するMAG選択情報をLMAへ通知する。【００５３】
記憶部８１は、上記の移動ノードの位置情報に加え、LMAを記憶する。帰属する移動ノード以外へ宛てたパケットの転送先をLMAとするために、帰属する移動ノード以外の移動ノードの位置情報をLMAとする。LMA情報の取得は、MAG管理者による設定や、移動ノードからの位置登録に併せて通知することによる移動ノード毎に異なるLMAの設定をする。【００５４】
パケット送信部８９は、記憶装置８１の位置情報管理表を元に送信先を決定し、帰属移動ノードへのパケットは移動ノードへ転送し、その他のパケットはLMAへ転送する。【００５５】
(LMAの構成)
次に、本実施の形態によるLMAについて説明する。LMAは、図6に示すように、コアネットワーク９１に接続する送受信機９３と記憶装置９５を備え、送受信機９３と記憶装置９５とにそれぞれ接続する位置情報登録部９７とパケット転送部９９とを備える。【００５６】
送受信機９３は、コアネットワーク９１内部に接続し、パケットの送受信を行なう。接続にはインターネットのルータ間で用いられるEthernetなどのL2技術を用いて有線接続する。【００５７】
位置情報登録部９７は、MAGから通知を受けた位置情報を記憶装置９５の位置情報管理表に登録する。移動ノードに対する位置情報としてMAGを登録する。位置情報であるMAGは、移動ノードに対して複数登録することができる。さらに、LMAはMAGからの通知により、移動ノードがMAGを選択するMAG選択情報を取得し、記憶装置９５の位置情報管理表に登録する。【００５８】
パケット転送部９９は、記憶装置９５の位置管理表を元にMAGを選択し、移動ノードへのパケットをMAGへ転送する。【００５９】
(位置情報作成処理)
次に、各ノードにおける位置情報の作成処理の流れについて説明する。【００６０】
(移動ノードの位置情報作成処理)
移動ノードは、起動される場合および移動に伴いMAGを変更するハンドオーバが実行される場合、MAGへ帰属を要求する。図７（ａ）は処理の流れを示すフローチャート図である。図１１（ａ）は情報の流れを示すシーケンス図である。【００６１】
より具体的には、移動ノード１１は、電源がONにされた場合のように、起動時に（ステップＳ１）、帰属するMAG（１）７に対して、例えばRRC(Radio Resource control)のAssociation Requestメッセージを送信し、帰属要求を行う（２０１：ステップＳ２）。この場合の、帰属するMAGの選択は、無線アクセスシステムによる近隣基地局の報知情報を受信し、セルサーチを行なった結果を用いて行なうことができる。【００６２】
また、無線アクセスシステムによるセルサーチの結果、現在帰属しているMAGよりも品質の高いMAGを発見した場合には、品質の高いMAGへ移動する。MAGの変更には、例えばRRCのReassociation Requestメッセージを送信し、再帰属要求を行うことでハンドオーバする。【００６３】
具体的には、位置情報通知部５３は、Association Request/Reassociation Reauestメッセージに移動ノードの識別情報を含めて送信する。移動ノードの識別は、移動ノードのグローバルIPアドレスもしくはMACアドレスもしくは３GPPのTS23.003V5.2.0などの仕様が定めるUE-IDなどを用いて行なうことができる。もしくは、これらを組み合わせて移動ノードの識別を行なうこともできる。【００６４】
MAGは、帰属要求に対して処理を完了すると、RRCのAssociation Response/Reassociation Responseメッセージを送信して応答する。詳細は後述する。【００６５】
移動ノードは、MAGからのAssociation Response/Reassociation Responseを経路情報登録部５７により受信し（ステップＳ１１）、MAGのIPアドレス、MACアドレス等のMAG識別情報を記憶部の経路制御表に登録する。図７（ｂ）にその際の処理フローを示す。【００６６】
移動ノードは、自移動ノードが備える複数のアクセスシステム毎に送受信機を備え、それぞれが接続するMAGに対して上記の処理を行い、記憶装置５１のデフォルトルータリストに複数のMAGを保持する（ステップＳ１２）。図１１（ｂ）に情報フローを示す（２０４）。【００６７】
上記により、移動ノードは複数のアクセスシステムを通してそれぞれMAGへ接続し、単一の移動ノードの識別情報に対して複数のMAGへの経路を保持する。【００６８】
(MAGの位置情報作成処理)
次に、MAGの位置情報作成処理について説明する。MAGは、自MAGに帰属する移動ノードの位置情報とLMAの位置情報とを登録し、移動ノードの送受信パケットを転送する。【００６９】
具体的には、帰属移動ノード登録部８３は、移動ノードから受信した（ステップＳ３１移動ノードの識別情報を記憶装置８１の位置情報管理表に登録する（ステップＳ３２）。情報取得には、例えば移動ノードが送信するAssociation Request/Reassociation Requestを用いる（ステップＳ３３）。識別情報は、移動ノードのグローバルIPアドレスもしくはMACアドレスもしくは３GPPのTS23.003V5.2.0などの仕様が定めるUE-IDなどを用いることができる。処理フローを図8(a)に示す。【００７０】
また、MAGはLMAの識別情報を記憶装置の位置情報管理表に登録する。LMAの情報取得には、MAGの管理者による設定や、移動ノードからの通知により取得する。移動ノードからの通知には、例えばAssociation Request/Reassociation RequestにLMA情報を含めることで取得する。LMAの識別は、コアネットワーク内のルーティングを実現するLMAのIPアドレスで行なう。【００７１】
次に、MAGは、位置情報通知部８５で、帰属移動ノードの位置登録をLMAに対して行う（ステップＳ４１）。位置情報通知部８５は、移動ノードの識別情報と自MAG識別情報とを通知する。処理を図8(b)に示す。図11(c)に情報フローを示す（２０２）。【００７２】
位置情報を受信したLMAは登録情報を更新し、情報更新を完了したことをMAGへ応答する（位置登録要求：２０３）。図11(d)に情報フローを示す。LMAの処理の詳細は後述する。【００７３】
MAGは、LMAからの応答を受信し（ステップＳ５１）、位置情報登録部９７によりLMAを位置情報管理表に登録する（ステップＳ５２）。LMAは帰属移動ノード以外のすべての移動ノードに対する位置情報として使用する。処理フローを図8( c )に示す。MAGは移動ノードの帰属要求に対してLMAへの位置登録処理を行う（２０５）。移動ノードが複数の送受信装置によりネットワーク接続を試みると、各接続点となるMAGはそれぞれLMAに対して位置登録を行う（２０６）。図11(e),(f)に情報フローを示す。【００７４】
移動ノードが複数のMAGに接続し、一方の接続点であるMAG１からの位置登録が図(c)、(d)のシーケンスで実現され、他方の接続点であるMAG2からの位置登録が図(e)、 (f)で実現される。MAG１、MAG2の処理は、移動ノードからの要求をトリガに位置登録を行うため、各MAGにおける処理のフローは同様であり、図8(b)、 (c)で示すことができれる。【００７５】
上記により、MAGは、移動ノードの帰属処理に伴い、移動ノードに対する位置情報をLMAへ登録するとともに、帰属する移動ノードの位置管理を行う。【００７６】
(LMAの位置情報作成処理)
次に、LMAにおける位置情報作成処理について説明する。【００７７】
LMAは、移動ノードの位置情報をMAGより取得し、位置情報を管理する。移動ノード宛てのパケット転送時には移動ノードの位置するMAGを解決しパケット転送を実現する。移動ノードは複数の送受信機を備え、それぞれにおいてコアネットワークへ接続し、位置登録を行う。したがって、LMAは移動ノードに対して複数のMAGを位置情報として管理する。【００７８】
具体的には、位置情報登録部９７は、MAGからの位置登録要求により（ステップＳ７１：２０２）、移動ノードの位置情報をMAGから取得し、記憶装置の位置情報管理表に登録する（ステップＳ７２）。図11( c )に情報フローを示す。位置情報は、移動ノードの識別情報とMAGの識別情報との対応である。移動ノードの識別はグローバルIPアドレスもしくはMACアドレスもしくは３GPPのTS23.003V5.2.0などの仕様が定めるUE−IDなどを用いて行なう。MACの識別は、コアネットワーク内でルーティングが行えるMAGのIPアドレスを用いて行う。LMAは登録後、MAGへ位置登録要求の応答を返信する（ステップＳ７３：２０３）。処理フローを図９(a)に示す。図11（d）に情報フローを示す。【００７９】
移動ノードが、複数の送受信機でコアネットワークに接続するとコアネットワーク内の複数のMAGから位置情報の通知を受ける。したがって、LMAは移動ノードに対して複数のMAGを位置情報として登録する。図11(e), (f)に情報フローを示す。【００８０】
上記により、LMAは移動ノードの単一の識別情報に対して複数のMAGを位置情報として管理することで、移動ノードへ宛てたパケットに対して複数の転送先の位置情報を保持することができる。これにより、移動ノード間は複数の通信路を持つことができ、例えば図３において、移動ノード（1）７が任意にデフォルトルータを選択して移動ノード（2）１１へパケットを送信しても、パケットはLMA１５に到達する。さらに、LMA１５は任意に通信路を選択してもパケットは移動ノード（2）３３へ到達する。情報の配送は図１１(g)および図１１(h)に示す２つの配送路で送受信することができる（２０７、２０８、２０９、２１０）。【００８１】
(MAG選択手段)
次に、移動ノードによる通信路の選択処理について処理フロー図7(c)を参照しながら説明する。移動ノードは、接続する複数のMAGのから唯一のMAGを選択することで通信路を選択する。【００８２】
MAG選択部５５は、MAG選択情報をMAGに通知する。MAG選択情報は、選択したMAGへ無線接続する送受信機からMAGへ送信する。MAG選択情報は、選択されたMAGを優先的に使用することを識別する情報である。例えPrimary Flagを移動ノードが送信するRRCのAssociation Request/Reassociation Requestに付加することで通知する。Primary FlagをONにすることで優先使用することを判断する。図１１の例では、例えば移動ノード１はMAG（1）７への帰属要求（図11(a)：２０１）に対してはPrimary FlagをONにして通知し、MAG（2）１１への帰属要求(図11(b)：２０４)に対してはPrimary FlagをOFFにして通知する。【００８３】
MAG選択情報の通知は、起動時やハンドオーバ時に行うことができる。さらに、移動ノードのユーザによる任意の時点での通知を行なうことができる。さらには、複数の送受信装置のうち、図３に示すように、Primaryとして使用している送受信装置の無線状態の悪化を検知してPrimaryを切り替えて通知することができる。さらには、複数の送受信装置のうち、Primaryとして使用していなかった送受信装置の無線状態が良好になったことを検知してPrimaryを切り替えて通知することができる。例えば、送受信装置（１）３１ａの無線状態（Ｌ１）が悪化すると、移動ノード（１）３１のPrimaryを送受信装置（２）３１ｂに変える（Ｌ２）ことにより通信を継続することができる。【００８４】
MAGの選択手段は、送受信装置の通信速度などの能力や状態を基準としてＭＡＧを選択することができる。また、移動ノードのユーザの嗜好による選択も可能である。【００８５】
さらに、移動ノードは、MAG選択情報を記憶装置５１のデフォルトルータリストに登録する。例えば、デフォルトルータリストには、選択したMAGをPrimary Flagとともに記憶する。【００８６】
次に、MAGにおける通信路の選択処理について処理フロー図8(d)に基づいて説明する。【００８７】
MAGは、移動ノードから通知を受けたMAG選択情報（ステップＳ６１）をLMAへ通知する（ステップＳ６２）。例えば、MAGはLMAへ通知する位置情報にPrimaryフラグを付加することによりMAG選択情報を通知する。Primary  FlagをONにすることで、MAGは優先選択されるべきであることを通知する。図１１の例では、MAG1は、LMAへの位置登録要求に対してPrimary FlagをONにして通知し(図11( c )２０２)、MAG2はLMAへの位置登録要求に対してPrimary FlagをOFFにして通知する(図11(e)２０５)。Primary FlagのON/OFFは移動ノードからの要求に対応して決定される。【００８８】
次に、MAGにおける通信路の選択処理の流れについて処理フロー図9(b)により説明する。【００８９】
LMAは、MAGから受信したMAG選択情報を（ステップＳ８１）位置情報管理表（図３の１５ａ）へ登録し（ステップＳ８２）、MAGを選択してパケット転送を行う（ステップＳ８３）。例えば、位置情報登録部９７は、位置情報管理表１５ａの登録MAGのうち、選択するMAGに対してPrimary  FlagをONにして保持する。パケットの転送時にはPrimary FlagがONになっているMAGを選択してパケット転送を行う。【００９０】
これにより、図３に示すように、移動ノード（1）３１とLMA１５において、移動ノード（1）３１とLMA１５間のMAG（1）７とMAG（2）１１を介した経路のうち、MAG（1）７を経由した経路を優先的に使用することが共有できる。さらに、同様の手法を用いて、移動ノード（２）３３とLMA１５において、移動ノード（２）３３とLMA１５間のMAG（3）１７とMAG（4）２１を介した経路のうち、MAG（3）１７を経由した経路を優先的に使用することが共有できる。【００９１】
(パケット送受信処理)
次に、図３のネットワーク構成図と図10のパケットフォーマットと図1２の情報フローを用いて移動ノード間のパケット送受信について説明する。【００９２】
図３に示すように、移動ノード（1）３１は、送受信装置（1）３１ａ、および送受信装置（2）３１ｂを備え、それぞれMAG（１）７、MAG（2）１１によりコアネットワーク５へ接続している。また、  移動ノード（2）３３は、送受信装置（3）３３ａ、および送受信装置（4）３３ｂを備え、それぞれMAG（3）３３ａ、MAG（4）３３ｂによりコアネットワーク５へ接続している。コアネットワーク５には、移動ノードの位置管理を行うLMA１５が設けられている。【００９３】
先に述べた手法により、図１１において説明した位置登録ステップで、移動ノード（1）３１ａは、送受信装置（1）３１ａをPrimaryとして使用し、移動ノード（2）３３は送受信装置（3）３３ａをPrimaryとして使用するための、すでに示した位置登録処理が完了している。【００９４】
移動ノード（1）３１が移動ノード（2）３３へパケットを送信する場合について説明する。図１０に示すパケットフォーマットを適宜参照する。移動ノード（1）３１は、デフォルトルータリスト３１ｃのMAGのPrimary FlagからMAG（1）７を選択し、MAG（1）７をデフォルトルータとしてパケット送信を行う(図１０(a)：移動ノード（１）３１からＭＡＧ（１）７)。【００９５】
MAG（1）７は、パケットを受信し、位置情報管理表１５ａから宛先が帰属移動ノードでないことからLMA１５を解決し、LMA１５へパケットを転送する(図１０(b)：ＭＡＧ（１）７からＬＭＡ１５)。図１０（ｂ）では、パケットの送信元をMAG（1）７とし、送信先をLMA１５として、カプセル化して転送する例を示したが、GREトンネリング(非特許文献3)などの転送技術、レイヤー2のラベルスイッチング技術であるMPLS（非特許文献4）を用いた転送を行うことができる。【００９６】
LMA１５は、パケットの宛先である移動ノード（2）３３から一情報管理表を検索し、移動ノード（2）３３のPrimary FlagがONであるMAG（3）１７を取得し、MAG（3）１７へパケット転送を行う(図１０（ｃ）：ＬＭＡ１５からＭＡＧ（３）１７)。図１０(ｃ)では、パケットを送信元をLMAとし、送信先をMAG（３）１７として、カプセル化して転送する例を示したが、GREトンネリング(非特許文献3)などの転送技術や、レイヤー2のラベルスイッチング技術であるMPLS（非特許文献4）を用いた転送を行うことができる。【００９７】
MAG（3）１７は、送信先のアドレスが移動ノード（2）３３であることをもとに、位置情報管理表から移動ノード（2）３３が帰属ノードであることを解決し、移動ノード（2）３３にパケットを配送する(図１０（ｄ）：ＭＡＧ（３）)。【００９８】
移動ノード（2）３３はMAG（3）１７から転送された移動ノード（1）７からのパケットを受信する。【００９９】
移動ノード（2）３３から移動ノード（１）７へ宛てたパケットは、上記処理を逆に行うことで配送する(図10(e), (f), (g), (h)参照)。図１２において、（ａ）移動ノード間の通信パケット配送路１は、移動ノード（１）３１−ＭＡＧ（１）７−ＬＭＡ１５−ＭＡＧ（３）１７−移動ノード（２）３３（２２１、２２２、２２３、２２４）であり、（ｂ）移動ノード間の通信パケット配送路２は、移動ノード（１）３１−ＭＡＧ（２）１１−ＬＭＡ１５−ＭＡＧ（３）１７−移動ノード（２）３３（２２５、２２６、２２７、２２８）であり、ｃ）移動ノード間の通信パケット配送路３は、移動ノード（１）３１−ＭＡＧ（１）７−ＬＭＡ１５−ＭＡＧ（４）２１−移動ノード（２）３３（２２９、２３０、２３１、２３２）であり、ｄ）移動ノード間の通信パケット配送路４は、移動ノード（１）３１−ＭＡＧ（２）１１−ＬＭＡ１５−ＭＡＧ（４）２１−移動ノード（２）３３（２２９、２３０、２３１、２３２）であり、４通りの配送路が設けられる。【０１００】
ここで、各移動ノードが複数の接続点であるMAGに対してPrimaryとなる接続点を選択することで通信路を決定することができる。具体的には図１２において、移動通信端末は図１２（ａ）から（ｄ）に示すように、複数（４通り）の通信路を保持するが、primary flagによる選択により、図１２（ａ）の通信路で通信することができる。【０１０１】
以上をまとめると、図３において、移動ノード（1）３１から送信するパケットは、移動ノード（1）３１では、Primary  FlagがONとなっているMAG（1）７へパケットを送信し、MAG（1）７からLMA１５へ転送される。LMA１５では、Primary  FlagがONとなっているMAG（3）１７へパケットを転送し、MAG（3）１７から移動ノード（2）３３へ配送される。逆に、移動ノード（2）３３から移動ノード（1）３１へ送信するパケットは、移動ノード（2）３３では、Primary  FlagがONとなっているMAG（3）１７へパケットを送信し、MAG（3）１７からLMA１５へ転送され、LMA１５では、Primary  FlagがONとなっているMAG（1）７へパケットを転送し、MAG（1）７から移動ノード（１）３１へ配送される。【０１０２】
したがって、移動ノード（1）３１とＬＭＡ１５との間は、移動ノード（1）３１とＬＭＡ１５で共有している優先経路によりパケットの送受信が行うことができ、移動ノード（２）３３とＬＭＡ１５との間は、移動ノード（２）３３とＬＭＡ１５で共有している優先経路によりパケットの送受信が行うことができる。【０１０３】
また、移動ノードは優先したMAGを用いた経路に加え、他の経路も併せて保持しており、優先MAGのみがパケット配送の唯一の経路ではなく、他のMAGを経由してもパケットの配送は行うことができる経路を維持しつづけることが可能となる。【０１０４】
(送受信機を切り替えたハンドオーバ処理)
次に、移動ノード1において送受信機を切り替えたハンドオーバを行なう例を説明する。これまで記述した位置情報登録処理により、図３のように、移動ノード（1）３１はMAG（１）７、MAG（2）１１へ接続し、移動ノード（2）３３はMAG（３）１７、MAG（4）２１へ接続し、通信路を確立している状態で、移動ノード（1）３１はMAG（1）７を選択し、移動ノード（2）３３はMAG（3）１７を選択してパケットの送受信を行っているとする。具体的には、図１２に示す図１２(a)の配送路（２２１〜 ２２４まで）での通信を選択して通信している状態である。【０１０５】
移動ノード（1）３１において通信経路をMAG（2）１１へ切り替える場合、移動ノード（1）３１は、MAG（2）１１を選択することを通知することによりMAG（1）からMAG2へ経路を切り替え、ハンドオーバを行うことができる。選択したMAGの通知は、図7(ｃ)に示すように、前述の移動ノードがMAGを選択する処理により行うことができる。【０１０６】
移動ノードから選択したMAGの情報を受信したMAGは、MAG情報をLMAに通知する。受信および通知処理は、図8(d)に示すように、前述したMAGにおけるLMAへの通知処理により行うことができる。LMAは、MAGからの通知を受信し、優先して仕様するMAGをMAG(1)7からMAG(2)11へ切り替える。この処理は、図9(b)のように、前述のLMAにおけるMAG選択の処理を行うことで実現することができる（ステップＳ８１からステップＳ８３）。【０１０７】
つまり、移動ノードとLMAとの間で、複数のMAGを介した経路が確立している状態において、移動ノードの保持するデフォルトルータリストに複数のMAGを保持し、さらにMAGのPrimary Flagの切り替えを行うことと、LMAの保持する位置情報管理表に移動ノードに対して複数のMAGを保持し、さらにMAGのPrimary Flagの切り替え処理をすることでMAGを変更して通信を継続するハンドオーバを行うことができる。【０１０８】
具体的には、図３において、移動ノード1では、デフォルトルータリストのMAG（1）７に付与していたPrimary flagをOFFとし、MAG（2）１１のPrimary FlagをONにして、優先使用していたMAGをMAG（1）７からMAG（2）１１へ切り替える。さらに、ＬＭＡ１５へMAG（2）１１の優先使用することを通知する。LMA１５では、位置情報管理表１５ａのMAG（1）７のPrimary FlagをOFFとし、MAG（2）１１のPrimary FlagをONとする。【０１０９】
これにより、移動ノード（1）３１と移動ノード（2）３３の通信において、移動ノード（1）３１から送信するパケットは、移動ノード（1）３１では、Primary  FlagがONとなっているMAG（２）１１へパケットを送信し、MAG（２）１１からLMA１５へ転送される。LMA１５では、Primary  FlagがONとなっているMAG（3）１７へパケットを転送し、MAG（3）から移動ノード（2）３３へ配送される。逆に、移動ノード（2）３３から移動ノード（1）７へ送信するパケットは、移動ノード（2）３３では、Primary  FlagがONとなっているMAG（3）１７へパケットを送信し、MAG（3）１７からLMA１５へ転送され、LMA１５では、Primary  FlagがONとなっているMAG（1）７へパケットを転送し、MAG（1）７から移動ノード（1）３１へ配送される。以上により、図１２(a)の配送路（２２１〜２２４）で行っていた通信は図１２（ｂ）の配送路（２２５〜２２８）で通信を継続する。【０１１０】
よって、移動ノード（1）３１の通信は、複数のMAGを通して複数の経路を確立したまま、経路を切り替えてのハンドオーバを行うことができる。移動ノードのprimary flagを切り替えるハンドオーバは、移動ノードが利用可能な複数のアクセスシステムのうち、移動ノードによりアクセスシステムを変更して通信を継続するハンドオーバを実現する。【０１１１】
以上説明したように、本実施の形態によれば、移動ノードが複数のネットワークアクセスシステムを用いてコアネットワークへ同時に接続することを実現し、複数の経路を確立することができる。移動ノードは、複数のネットワーク接続点を保持し、移動ノードによる選択でパケットを送信することができる。移動ノードが送信したパケットはMAGによって転送され、LMAに到達する。LMAは移動ノードに対して複数の位置情報を保持する。位置情報はMAGであり、LMAは複数のMAGから、移動ノードによる要求に応じてMAGを選択し、配送することができる。LMAからパケットを受信したMAGは通信相手となる移動ノードへパケットを配送することで移動ノード間は通信することができる。さらに、複数の経路のうち、優先使用する経路の選択は、移動ノードにより接続する無線アクセスシステムの無線状態やアプリケーションのプロファイルなどにより任意のタイミングで行うことができる。また、移動ノードは利用可能な無線アクセスシステムのうち、優先利用する経路を変更することで、利用する無線アクセスシステムを切り替えるハンドオーバを行って通信を継続することもできる。【０１１２】
尚、本実施の形態によるシステム移動ノードは、例えば通信キャリアが提供する次世代の通信端末であり、コアネットワークは通信キャリア網である。通信キャリアのサポートするネットワークアクセスシステムが多様化し、セルラアクセスシステムや無線ＬＡＮなどの複数のアクセスシステムによって端末の接続を許容するモデルが想定される。さらに、端末がそれらのアクセスシステムへ同時接続することが可能なシステムである。
【産業上の利用可能性】
【０１１３】
本発明は、Edge Mobilityに準拠したパケット通信システムに利用可能である。例えば、携帯端末がセルラ網に接続する無線送受信機と無線ＬＡＮとで接続する送受信機を備え、それぞれに同時接続するとともに、単一のＩＰアドレスで通信するシステムに利用できる。
【図１】
2009008464.tif 000003
【図２】
2009008464.tif 000004
【図３】
2009008464.tif 000005
【図４】
2009008464.tif 000006
【図５】
2009008464.tif 000007
【図６】
2009008464.tif 000008
【図７】
2009008464.tif 000009
【図８】
2009008464.tif 000010
【図９】
2009008464.tif 000011
【図１０】
2009008464.tif 000012
【図１１】
2009008464.tif 000013
【図１２】
2009008464.tif 000014
【国際調査報告】
2009008464.tif 000015
2009008464.tif 000016
2009008464.tif 000017